(57)【特許請求の範囲】
【請求項１】
開放型の針孔を有する針板の一部として形成され布送り方向に沿って延設された外爪と、外爪に平行しその延設方向に沿って摺動可能に設けられた中爪と、針板より手前に配置された空環保持兼切断器とを備えた２本針オーバーロックミシンにおいて、前記ミシンが、針板の上方に配置された押え金と、押え金を針板に付勢する付勢部材と、ミシン機枠の背面に回動可能に支承され付勢部材の付勢力に抗して押え金を針板より上昇させる押上げレバーとを備え、前記中爪と押上げレバーとを連結させ、押上げレバーの操作により押え金を上昇させた時に中爪の先端部を針板の開放型針孔より没するようにしたことを特徴とする２本針オーバーロックミシン。
【請求項２】
中爪の基端部が、針板の手前で水平軸回りに回動可能に支承された支持片に連結され、支持片と押上げレバーに連結のリンク部材とがワイヤで接続されている請求項１記載の２本針オーバーロックミシン。
【請求項３】
押上げレバーとリンク部材とが段付ネジと長孔とを介して連結されており、中爪の前進が支持片に付設の付勢具に抗して行われている請求項２記載の２本針オーバーロックミシン。
【請求項４】
押え金が押え台の先端に回動可能に支承され、押え台が、ミシン機枠に回動可能に支承された揺動軸のクランク腕に連結され、押上げレバーの操作により押え金を上昇させた時、揺動軸の被係止部が、揺動軸に対して回動可能に支承され押上げレバーに連結された腕の係止部に係合している請求項１または２に記載の２本針オーバーロックミシン。
【発明の詳細な説明】
【０００１】
【産業上の利用分野】
本発明は、空環縫い込み機能を備えた２本針オーバーロックミシンに関する。
【０００２】
【従来の技術】
この種のミシンとしては、特公平２−３０２７７号公報に開示されているように、針板の一部として形成された外爪と、摺動可能に設けた中爪と、針板より手前に配置された空環保持兼切断器とを備えている。外爪は布送り方向に沿って延設されており、中爪は外爪に平行に配置されている。
【０００３】
【発明が解決しようとする課題】
ところが、縫製後の空環操作時に中爪を手動操作機構によって手前に後退させなければならず、その時に作業者は布地を両手で扱うことができなかった。また、ソレノイドで中爪を適宜のタイミングで摺動させるためには制御装置を必要とし、原価コスト増大等の問題が生じていた。
従って、本発明の課題は、安価な構造で作業者による布地の操作性を損なうことなく中爪を操作できる２本針オーバーロックミシンを提供することにある。
【０００４】
【課題を解決するための手段】
本発明は、開放型の針孔を有する針板の一部として形成され布送り方向に沿って延設された外爪と、外爪に平行しその延設方向に沿って摺動可能に設けられた中爪と、針板より手前に配置された空環保持兼切断器とを備えた２本針オーバーロックミシンにおいて、前記ミシンが、針板の上方に配置された押え金と、押え金を針板に付勢する付勢部材と、ミシン機枠の背面に回動可能に支承され付勢部材の付勢力に抗して押え金を針板より上昇させる押上げレバーとを備え、前記中爪と押上げレバーとを連結させ、押上げレバーの操作により押え金を上昇させた時に中爪の先端部を針板の開放型針孔より没するようにしたことを特徴とする。
【０００５】
なお、中爪の基端部を、針板の手前で水平軸回りに回動可能に支承された支持片に連結させ、支持片と押上げレバーに連結のリンク部材とをワイヤで接続させるのが望ましい。また、押上げレバーとリンク部材とを段付ネジと長孔とを介して連結させ、中爪の前進を支持片に付設の付勢具に抗して行わせるのが望ましい。さらに、押え金を押え台の先端に回動可能に支承させ、ミシン機枠に回動可能に支承された揺動軸のクランク腕に押え台を連結させ、押上げレバーの操作により押え金を上昇させた時、揺動軸の被係止部を、揺動軸に対して回動可能に支承され押上げレバーに連結された腕の係止部に係合させるのが望ましい。
【０００６】
【作用】
本発明によれば、押上げレバーを操作して押え金を上昇させると、中爪の先端部が針板の開放型針孔より没する。この操作を縫製作業の終了後に行うと、布地に連なる空環の基端部は中爪より容易に抜き出される。そして、作業者が布地を布送り出し側に引張ると、布地に連なる空環は外爪より抜き出される。それから、作業者は、布地を針板の手前側に掛け廻し、針板より手前に配置された空環保持兼切断器で布地に連なる空環を切断させ同時に保持させる。この作業者の操作時において、空環は中爪で支えることなく移動することとなる。また、段部を有する布地の縫製中においては、両係止部の係合状態が変更されるだけで中爪は針板の開放型針孔より没しない。
【０００７】
【発明の実施の形態】
以下、本発明に係る実施の形態を図面に基づいて説明する。図１は、本発明に係る２本針オーバーロックミシンの要部を示す側面図である。作業面Ｘは針板１（図６参照）を有しており、外爪１ａは針板１の一部として形成されている。針板１は、送り歯用の溝（図示せず）を有しており、ネジ１ｂで固定されている。外爪１ａは、図６に示すように、針落ちＮ１，Ｎ２の隣接部を起点とし、布送り方向Ｆに沿って延設されている。この外爪１ａに平行して中爪３が配置されている。中爪３は、針板１の開放型針孔に出没可能となるように外爪の延設方向に沿って摺動可能に設けられている。中爪３の基端部３ａは窪み部よりなり、窪み部は図２に示すように支持片４に形成されたピン５に係合されている。支持片４は、針板１の手前で回動可能に支承された水平軸６に固定されている。
【０００８】
針板１の上方には押え金２が配置されている。押え金２は、押え台７の先端にネジ８で固定された押えホルダ９に回動可能に支承されている。押え台７は、図３に示すように、クランク腕１０に回動可能に支承されている。クランク腕１０は、揺動軸１１に固着され、揺動軸１１はミシン機枠Ａに圧入された筒体１２に回動可能に支承されている。揺動軸１１の一端には運動伝達部材１３がネジ１４で取付けられている。腕１５は揺動軸１１に対して回動可能に支承され、腕１５の係止部１５ａは運動伝達部材１３の被係止部１３ａに係合するようにしてある。腕１５は連杆１６を介して押上げレバー１７に連結されている。押上げレバー１７は、段付ネジ１８を介してミシン機枠の背面に回動可能に支承され、足踏みペダル等で操作できるようにしてある。
【０００９】
付勢部材１９は、図４に示すように、ミシン機枠Ａ頭部の筒体２０に配置されている。筒体２０の上部は調節ネジ２１で塞がれており、調節ネジ２１は固定ネジ２２の弛緩時に上下位置を調節できる。バネ２３は、その筒体２０内に嵌挿され、ロッド２４を押え台７に付勢させている。これにより、付勢部材１９は押え金２を針板１に付勢させることとなる。
【００１０】
支持片４の下端部はワイヤ２５に接続され、ワイヤ２５はケーシング２６の中に挿通されている。ケーシング２６は、ミシン機枠Ａの側方に固定された第１ケーシング受け２７とミシン機枠Ａの背面に固定された第２ケーシング受け２８との間に接続されている。この第１ケーシング受け２７に支持片４に付設の圧縮バネ３１（付勢具）が接続され、両部材４，２７が弾性的に反発しあっている。ワイヤ２５のタイコ部２５ａはリンク部材２９に接続され、押上げレバー１７に締付けられたピン２７はリンク部材２９の長孔２９ａに係合されている。
【００１１】
なお、空環保持兼切断器３０は、針板１より手前に配置されており、布地に連なる空環を切断するとともに保持する。なお、本実施の形態においては詳述していないが、押上げレバー１７と糸調子器の弛緩部材とを作動的に連結し、押上げレバー１７の操作時に糸調子器の糸張力を解放するようにしておくと、布地に連なる空環の基端部を外爪より抜き出しやすくなる。
【００１２】
以上に述べた２本針オーバーロックミシンにつき、その作用を説明する。縫製中においては押上げレバー１７は操作されず、押え金２は針板１に付勢されている。従って、中爪３の先端部は、針板１の開放型針孔に出現しており、布地を下方から支持することとなる。縫製作業が終了すると、作業者は、足踏みペダル等により押上げレバー１７を操作する。これにより、中爪３の先端部が針板１の開放型針孔より没され、布地に連なった空環の基端側は中爪３より抜き出される。
【００１３】
次に、作業者は、布地を送り出し側に引張り、布地に連なる空環の基端部を外爪１ａより抜き出す。その後、布地を針板１の手前側に持ってくることになる。この時、中爪３を針板の開放型針孔より没させたままにしておくと、布地に連なる空環は中爪３で支えることなく移動されることとなる。布地に連なる空環は針板１の手前に配置された空環保持兼切断器３０で切断され、ミシン側に残った空環Ｃは、図６の（ａ）に示すように、そこで保持されることとなる。
【００１４】
次の布地を作業面Ｘ上にセットしてから押上げレバー１７の操作により押え金２を針板１に付勢させると、中爪３の先端部は、図６の（ｂ）に示すように、針板１の開放型針孔に出現し縫製中と同様に布地Ｗを下方から支持することとなる。また、段部を有する布地の縫製中においては、揺動軸１１に取付けられた運動伝達部材の被係止部１３ａと、押上げレバー１７に連杆１６を介して連結された腕の係止部１５ａとの係合状態が変更されるだけで、中爪３先端部は針板１の開放型針孔より没しない。従って、布地の凹凸や種類に拘わらず中爪３を利用した縫製を行うことができる。
【００１５】
【発明の効果】
以上のように、本発明によれば、制御装置等を介せず単に押上げレバーの操作のみで中爪を針板の開放型針孔より出没させるので、作業者による布地の操作性を損なうことなく縫製作業後の操作をおこなうことができる。また、中爪と押上げレバーとの連結にワイヤが利用されることで、その構造を安価にすることができる。さらに、段部を有する布地の縫製中においては、両係止部の係合状態が変更されるだけとなるので、中爪が針板の開放型針孔より没しないこととなり、その結果、中爪を利用した縫製を確実に行うことができる。その他、押上げレバーとリンク部材とが長孔と段付ネジとを介して連結されることで、中爪自体が針板の開放型針孔より没しても押え金が上昇しない。
【図面の簡単な説明】
【図１】本発明に係る２本針オーバーロックミシンの要部を示す側面図である。
【図２】同上ミシンの内部概要を示す部分断面図である。
【図３】同上ミシンの押え機構を示す分解立体図である。
【図４】同上ミシンの付勢部材を示す分解立体図である。
【図５】同上ミシンの背面図である。
【図６】（ａ），（ｂ）とも同上ミシンの操作による作用を示す説明図である。
【符号の説明】
１        針板
１ａ      外爪
２        押え金
３        中爪
４        支持片
７        押え台
１０      クランク腕
１１      揺動軸
１３ａ    被係止部
１５      腕
１５ａ    係止部
１７      押上げレバー
１９      付勢部材
２５      ワイヤ
２９      リンク部材
３０      空環保持兼切断器
【図１】
0003795766.tif 000002
【図２】
0003795766.tif 000003
【図３】
0003795766.tif 000004
【図４】
0003795766.tif 000005
【図５】
0003795766.tif 000006
【図６】
0003795766.tif 000007